(57)【要約】【課題】より低温度のストロボ光を被写体に照射してバランスの取れた写真を得ることが可能なレンズ付きフイルムユニットを提供する。【解決手段】ストロボ装置２４にはストロボ発光部が備えられており、ストロボ発光部はストロボ光を発生するキセノン管８０、ストロボ光を集めるリフレクタ６８、ストロボ光を外部に透過させるプロテクタ６９等から構成される。プリント基板には、電気容量が１０μＦのメインコンデンサ７０、メインコンデンサ７０の充電を開始させるストロボスイッチ７２が実装されている。シンクロスイッチ３０が互いに接触することによりメインコンデンサ７０からキセノン管８０に一気に電力が供給され、ストロボ光が発生し、プロテクタ６８からは色温度が４５００°Ｋのストロボ光が外部に照射される。【選択図】        図６
2006071979.tif 000002
【特許請求の範囲】
【請求項１】
ＩＳＯ１６００以上の写真フイルムが組み込まれるとともに、ガイドナンバーが２〜５、被写体に照射される照明光の色温度が４５００°Ｋ〜５０００°Ｋのストロボ装置を内蔵したことを特徴とするレンズ付きフイルムユニット。
【請求項２】
前記照明光の発光エネルギーを蓄えるメインコンデンサの静電容量が８μＦ〜１８μＦであることを特徴とする請求項１記載のレンズ付きフイルムユニット。
【発明の詳細な説明】
【技術分野】
【０００１】
本発明は、レンズ付きフイルムユニットに関し、更に詳しくはストロボ装置を搭載したレンズ付きフイルムユニットに関するものである。
【背景技術】
【０００２】
現在、簡単な撮影機構を備えたユニット本体に未露光の写真フイルムが装填されたレンズ付きフイルムユニットが各種販売されており、それぞれのレンズ付きフイルムユニットでは様々な工夫が凝らされている。例えば、適正な露出を行うように絞りを切り替えるための板を備えたものや、夜間でも近距離にある物体を撮影した場合でもはっきりとした写真画像を得るために感度の高い写真フイルムを装填したものなどがある。特にレンズ付きフイルムユニットに備えられたストロボ装置はガイドナンバーが１０程度と発光量が大きい。ストロボ装置には、ストロボ光（照明光）を発生するストロボ発光部と、このストロボ発光部に電力を供給するストロボ発光用コンデンサとが備えられており、レンズ付きフイルムユニットがストロボを使用するモードに切り替えられることによって、ストロボ発光用のメインコンデンサへの蓄電が開始され、シャッタボタンの押圧に応じてこのメインコンデンサに蓄えられた電力がストロボ発光部に一挙に供給されてストロボ光が外部に照射される。
【０００３】
ところで、従来のレンズ付きフイルムユニットに搭載されたストロボ装置のガイドナンバーは１０程度であり、ストロボ装置から照射されるストロボ光の色温度は５５００°Ｋ程度であった。このため、例えば、蛍光灯等で照明された室内で被写体にストロボ光を投射して撮影した場合等では、被写体を照らすストロボ光の色温度と背景を照らす蛍光灯の色温度とが異なるために、現像処理した際にバランスの悪い写真ができあがってしまう場合があった。このような問題を解決するために特許文献１に記載された発明では、ストロボ装置から投射されるストロボ光の一部を減光板で遮ってストロボ光の色温度を下げるレンズ付きフイルムユニットが記載されている。
【特許文献１】特開２００４−０６１５３８号公報
【発明の開示】
【発明が解決しようとする課題】
【０００４】
しかしながら、ストロボ光を減光板で遮って外部に放たれるストロボ光の色温度を５５００°Ｋ以下に下げる方法では、少なくとも減光板を備えなければならず、このためレンズ付きフイルムユニットの部品点数が増加してしまい、コストの上昇及び組み立て工程の増加を招いていた。また、ガイドナンバーが１０程度であって色温度が５５００°Ｋ程度のストロボ光を発生させるために必要な電力をメインコンデンサに蓄電するには一定の時間が必要であり、この時間のためにシャッターチャンスを失ってしまうことも考えられえる。さらに、電気容量の大きなメインコンデンサの有する寸法のためにレンズ付きフイルムユニットの小型化には限界があった。
【０００５】
本発明は上記の事情に鑑みてなされたものであり、その目的は、より簡便な構造のストロボ装置を搭載し、色温度の低い照明光を被写体に照射してバランスの取れた写真を得ることが可能なレンズ付きフイルムユニットを提供することを目的とする。
【課題を解決するための手段】
【０００６】
上記目的を達成するために、本発明のレンズ付きフイルムユニットでは、ＩＳＯ１６００以上の写真フイルムが組み込まれるとともに、ガイドナンバーが２〜５、被写体に照射される照明光の色温度が４５００°Ｋ〜５０００°Ｋのストロボ装置を内蔵したことを特徴とする。
【０００７】
また、照明光の発光エネルギーを蓄えるメインコンデンサの静電容量が８μＦ〜１８μＦであることを特徴とする。
【発明の効果】
【０００８】
本発明のレンズ付きフイルムユニットによれば、ＩＳＯ１６００以上の写真フイルムが組み込まれるとともに、ガイドナンバーが２〜５、被写体に照射される照明光の色温度が４５００°Ｋ〜５０００°Ｋのストロボ装置を内蔵したことにより、照明光によって照らされる主被写体とその背景との色の相違をより小さくすることができ、これによってより低温度の照明光を被写体に照射してバランスの取れた写真を得ることが可能なレンズ付きフイルムユニットを提供できる。
【０００９】
また、照明光の発光エネルギーを蓄えるメインコンデンサの静電容量が８μＦ〜１８μＦであることにより、ストロボ装置のガイドナンバーを２〜５であって照明光の色温度を４５００°Ｋ〜５０００°Ｋにすることができ、より低コストなレンズ付きフイルムユニットの提供が期待できる。
【発明を実施するための最良の形態】
【００１０】
図１は本発明を実施したレンズ付きフイルムユニットの外観形状を示す斜視図である。レンズ付きフイルムユニット２は、各種撮影機構が組み込まれたユニット本体３と、このユニット本体３の製造時に巻き付けられるようにして貼付される外装ラベル４とからなる。ユニット本体３の前面には、撮影レンズ５、ファインダ６、ストロボ発光部７等が設けられている。ユニット本体３の上面には、撮影時に押圧されるシャッタボタン９、撮影可能なコマ数を表示するカウンタ表示窓１０、ストロボ装置の充電状態を表示するシグナル部材１７（図２参照）を露呈させるためのシグナル用開口１１等が設けられている。ユニット本体３の背面からは、撮影後のフイルム巻き上げに用いられる巻き上げノブ１２の一部が露呈している。
【００１１】
ユニット本体３の前面に形成された操作開口１４からは、操作開口１４内で移動自在に設けられた操作つまみ１５ａが露呈している。操作つまみ１５ａはストロボ操作部材１５（図４参照）の一部であって、操作開口１４内の下方に位置する第１の位置と、図２に示すように第１操作位置から上方にスライド移動された第２の位置と、図３に示すように第２の位置から回動された第３の位置との間で移動自在となっている。
【００１２】
操作つまみ１５ａが第１の位置に位置する場合では、レンズ付きフイルムユニット２は小絞りであってシャッタスピードが高速な第１の撮影モードとなり、操作つまみ１５ａが第２の位置に位置する場合では、レンズ付きフイルムユニット２はストロボ光の照射が可能であり、小絞りかつシャッタスピードが高速な第２の撮影モードに設定される。操作つまみ１５ａが第３の位置に位置する場合では、レンズ付きフイルムユニット２はストロボ光の照射が可能であり、絞りが大絞りに切り替えられ、かつシャッタスピードが低速な第３の撮影モードに設定される。第２、第３の撮影モードに設定された場合では、レンズ付きフイルムユニット２の上部からシグナル部材１７が突出し、ストロボ装置の充電状態がユーザに告知される。なお、シグナル部材１７は、レンズ付きフイルムユニット２の内部に設けられた発光ダイオード（ＬＥＤ）の光を外部に導光するものであり、例えば、シグナル部材１７から強い光が放たれることによってユーザはストロボ装置の充電が完了したことを知ることができる。
【００１３】
図４にユニット本体３を大まかに分解した分解斜視図である。ユニット本体３は１３５タイプのフイルムパトローネ２０やロール状の写真フイルム２１が装填される本体基部２３と、この本体基部２３の前面側に取り付けられるストロボ装置２４と、操作つまみ１５ａが形成されたストロボ操作部材１５の移動に応じて、第１、第２、第３の撮影モードの切り替えを行うモード切り替え機構２５と、本体基部２３の前面及び背面にそれぞれ取り付けられる前カバー２６及び後カバー２７とからなる。写真フイルム２１としては、例えばＩＳＯ感度が３２００の高感度なものが用いられる。なお、写真フイルムはＩＳＯ感度が１６００のものや６４００のものなどを用いても構わない。
【００１４】
ストロボ装置２４は、各種電気部品が取り付けられてストロボ回路が形成されたプリント基板２９と、放電管やリフレクタ拡散板等からなるストロボ発光部７等から構成されている。プリント基板２９には、シャッタボタン９の押圧に応じてオンしてストロボ光を発生させるシンクロスイッチ３０、ストロボ操作部材１５の移動によってオン／オフ切り替えされる充電スイッチ３１、電池３２から電力の供給を受けるための電池ホルダ３３が設けられている。
【００１５】
本体基部２３の前面中央には撮影レンズ５から写真フイルム２１までの撮影光路を遮光する暗箱３５が形成されている。暗箱３５の両サイドにはフイルムパトローネ２０を収納するパトローネ室２３ａと写真フイルム２１を収納するフイルム室２３ｂとが形成されている。暗箱３５の周囲には、シャッタチャージ機構、シャッタレリーズ機構、フイルム巻き上げ機構、フイルム巻き止め機構、フイルムカウント機構、第１、第２の撮影モードと第３の撮影モードとの間で絞りを切り替える絞り切り替え機構、第１、第２の撮影モードと第３の撮影モードとでシャッタ速度を切り替えるるシャッタ速度切り替え機構、撮影レンズ５や後述する絞り板等の撮影光学系、ファインダ光学系等が組み込まれている。
【００１６】
パトローネ室２３ａの上部には巻き上げノブ１２が回転自在に取り付けられており、撮影後にこの巻き上げノブ１２を回転させることにより、露光済みの写真フイルムがフイルムパトローネ２０内に巻き上げられる。巻き上げノブ１２の横には、巻き上げノブ１２の回転に伴って１歩進するカウント板が設けられ、ユーザに撮影可能な枚数を表示する。
【００１７】
後カバー２７は本体基部２３の背面を覆うように取り付けられる。後カバー２７には接眼側ファインダ窓２７ａと、パトローネ室２３ａとフイルム室２３ｂとを光密に塞ぐプルトップ式の底蓋２７ｂとが形成されている。底蓋２７ｂは本体基部２３に取り付けられた後に閉鎖され、写真フイルム２１が収納されたフイルムパトローネ２０を取り出す際に開放される。前カバー２６には、撮影レンズ５を露呈させるための開口、操作つまみ１５ａをスライド移動可能に露呈させるための開口１４等が形成されており、本体基部２３の前面を覆うように取り付けられる。
【００１８】
図５は暗箱３５の周囲に組み込まれたシャッタレリーズ機構、絞り切り替え機構、シャッタ速度切り替え機構及び撮影光学系の構成を示す分解斜視図である。暗箱３５の前面には、露光開口３７が形成され、その横に設けられた支持ピン３９によってはシャッタ羽根３８が揺動自在に支持される。シャッタ羽根３８の先端部３８ａは露光開口３７を閉じる閉じ位置と露光開口３７を開く開き位置との間で移動自在であり、シャッタ羽根３８に形成された突起３８ｂにはバネ４０の一端が掛けられ、バネ４０の他端は本体基部２３に形成された係合ピン４１に掛けられている。これによりシャッタ羽根３８は常時はバネ４０によって閉じ位置に付勢されている。
【００１９】
シャッタ駆動レバー４７は、チャージ位置とレリーズ位置と間で回動自在に設けられており、巻き上げノブ１２の回動に応じてシャッタチャージ機構によってチャージ位置にチャージされる。シャッタレリーズ時にはチャージ位置からレリーズ位置に向かって回動し、その際、シャッタ羽根３８を蹴飛ばしてシャッタ羽根３８の先端部３８ａを開き位置に移動させる。シャッタ駆動レバー４７に蹴飛ばされたシャッタ羽根３８によってシンクロスイッチ３０の切片が互いに接触し、シンクロスイッチ３０がオンする。ストロボスイッチ（図６参照）がオンされている場合には、シンクロスイッチ３０がオンするとストロボ発光部７からストロボ光が外部に照射される。
【００２０】
レンズホルダ５６の上部にはシャッタスピードを切り替えるシャッタスピード切り替え部材４９が回動自在に設けられている。シャッタスピード切り替え部材４９は高速シャッタ位置あるいは低速シャッタ位置に位置しており、シャッタスピード切り替え部材４９が高速シャッタ位置に位置する場合には、シャッタ羽根３８が閉じ位置に短時間で復帰する。シャッタスピード切り替え部材４９が低速シャッタ位置に位置する場合には、シャッタ羽根３８は長時間で閉じ位置に復帰する。ストロボ操作部材１５が、第１、第２の位置に位置する場合ではシャッタスピード切り替え部材４９は高速シャッタ位置に位置し、第３の位置に位置する場合ではシャッタスピード切り替え部材４９は低速シャッタ位置に位置する。シャッタスピード切り替え部材４９が高速シャッタ位置に位置する場合のシャッタ速度は例えば１／１２０秒であり、シャッタ速度切り替え部材４９が低速シャッタ位置に位置する場合のシャッタ速度は例えば１／４５秒である。なお、シャッタ速度は高速時では１／１２０秒であり、低速時では１／４５秒であったが、シャッタ速度はこれに限らず、それぞれ適宜変更してかまわない。
【００２１】
レンズホルダ５６に形成されたレンズ鏡筒５７には第１、第２レンズ６０、６１が嵌め込まれる。第１レンズ６０と第２レンズ６１との間には、大きな絞り開口６２ａが形成された大絞り板６２、大絞り板６２に形成された大絞り開口６２ａに比べて小さな小絞り開口６３ａが形成された絞り切り替え板６３、大絞り板６２と絞り切り替え板６３との間に配置されるスペーサ６４が収められる。第１、第２レンズ６０、６１、大絞り板６２．絞り切り替え板６３、スペーサ６４が組み込まれたレンズ鏡筒５７には保持カバー６５が被せられる。
【００２２】
レンズ鏡筒５７の外周に嵌入された絞り切り替えリング６８は、絞り切り替え板６３を、小絞り開口６３ａが大絞り開口６２ａの前に位置する小絞り位置と、小絞り開口６３ａが大絞り開口６２ａの前から退避した大絞り位置との間で移動させる。ストロボ操作部材１５が第１、第２の位置に位置する場合には絞り切り替え板６３は小絞り位置に位置しているが、ストロボ操作部材１５が第３の位置に回動された場合にはこれに応じて絞り切り替えリング６８が回動され、絞り切り替えリング６８の回動に応じて絞り切り替え板６３は大絞り位置に移動する。絞り値を示すＦ値は、小絞り状態では例えば１４であり、大絞りでは例えば４である。なお、大絞り状態でのＦ値及び小絞り状態でのＦ値はこれに限らず、それぞれ適宜変更してかまわない。
【００２３】
図６にストロボ装置２４の斜視図を示す。ストロボ装置２４のガイドナンバーや、外部に照射されるストロボ光の色温度は予め規定されており、ガイドナンバーは２．０に、色温度は４５００°Ｋに定められている。ストロボ装置２４には、様々な電気部品が実装されたプリント基板２９、キセノン管８０が内蔵されたストロボ発光部７、ストロボ装置２４に電力を供給する乾電池３２等から構成されている。ストロボ発光部７は、キセノン管８０、キセノン管８０からの光を前方に反射させるリフレクタ６８、キセノン管８０及びリフレクタ６８を保護するプロテクタ６９等から構成される。ストロボ発光部７の裏側にはストロボ光をキセノン管８０で発生させるための電力を蓄えるメインコンデンサ（コンデンサ）７０が設けられている。メインコンデンサ７０は電解コンデンサであり、その電気容量は１０マイクロファラド（以降、μＦと言う）である。プリント基板２９の下部には乾電池３２から電力を受けるための電池ホルダ３３が設けられ、さらにプリント基板２９には、シャッタ羽根３８の回動に応じて切片同士が互いに接触して通電するシンクロスイッチ３０、ストロボ操作部材１５が第２、第３の位置に位置する際にオンするストロボスイッチ７２等が設けられている。ストロボスイッチ７２がオンすると、メインコンデンサ７０への充電が開始され、その充電状態はシグナル部材１７の点灯具合によって判断ができるようになっている。ストロボスイッチ７２がオンされ、シンクロスイッチ３０が互いに接触することによりメインコンデンサ７０に蓄電された電力が一気にストロボ発光部７のキセノン管８０に供給され、色温度が４５００°Ｋのストロボ光がストロボ発光部７から外部に照射される。なお、プロテクタに色温度変換機能を持たせ、外部に放出されるストロボ光の色温度を下げてもかまわない。
【００２４】
図７にストロボ装置２４に形成された電気回路についての概略的なブロック図を示す。このストロボ装置２４のガイドナンバーは２．０であり、ストロボ装置２４には乾電池３２の電圧を昇圧し、整流ダイオード７５を介してメインコンデンサ７０を高圧充電する昇圧発振回路７７が設けられている。昇圧発振回路７７はトリガ回路７９内に設けられたトリガコンデンサにも充電を行い、キセノン管８０を発光させるのに必要なトリガ電圧を蓄える。
【００２５】
昇圧発振回路７７には発振トランジスタ８２及び発振トランス８４等が含まれ、ストロボスイッチ７２がオンされるとメインコンデンサ７０の充電が開始され、一定時間が経過するとメインコンデンサ７０の充電は完了する。シンクロスイッチ３０が互いに接触するとメインコンデンサ７０に蓄えられた電力が一気にキセノン管８０に供給され、このときキセノン管８０には３５０ボルト程度の電圧が印加される。するとプロテクタ６８からは外部に向かって色温度が４５００°Ｋのストロボ光が放射される。
【００２６】
次に本発明の作用について説明する。日中の室外などで撮影を行う場合には、ストロボ操作部材１５の操作つまみ１５ａを第１の位置に位置させ、巻き上げノブ１２をロックがかかるまで回動操作してシャッタチャージを行う。シャッタボタン９の押圧に応じてシャッタ駆動レバー４７がチャージ位置からレリーズ位置に回動してシャッタ羽根３８が蹴飛ばされ、写真フイルム２１が露光される。
【００２７】
被写体をより明るく撮影したい場合や室内での撮影などの場合は、操作つまみ１５ａを第２の位置に位置させレンズ付きフイルムユニットを第２の撮影モードに設定して撮影を行う。第２の撮影モード下では、ストロボスイッチ７２がオンしてメインコンデンサ７０への充電が行われ、シャッタボタン９の押圧に応じて色温度が４５００°Ｋのストロボ光が照射されるとともに１／１２０秒のシャッタ速度で撮影が行われる。なお、第１、第２の撮影モード下では、絞り切り替え板６３に形成された小絞り開口６３ａによってＦ値が１４の小絞り状態に設定される。
【００２８】
夜中の室内等の特に暗い場所で撮影を行う場合には操作つまみ１５ａを第３の位置に位置させてレンズ付きフイルムユニットを第３の撮影モードに設定して撮影を行う。ストロボ操作部材１５が第２の位置から第３の位置に回動されると、絞り切り替え板６３が大絞り位置に移動してＦ値が４の大絞り状態となる。ストロボスイッチ７２がオンされることに応じてメインコンデンサ７０の充電が行われ、シャッタボタン９が押圧されると色温度が４５００°Ｋのストロボ光が外部に照射されるとともに１／４５秒のシャッタ速度で撮影が行われる。
【００２９】
このようにガイドナンバーが２．０かつ色温度が４５００°Ｋのストロボ光を照射可能なストロボ装置２４と、ＩＳＯ感度が３２００の写真フイルム２１とをレンズ付きフイルムユニット２に備えたことで、第２、第３の撮影モードに設定して被写体を撮影した場合には、ストロボ光によって照らされる主被写体とその背景との違和感が少ない写真を得ることが可能となる。さらに、従来のレンズ付きフイルムユニットではストロボ光の色温度を下げるために必要だった減光板やその駆動機構を省くことができ、さらに従来よりも容量の小さなメインコンデンサ７０を備えることによって、高い性能を維持しながらレンズ付きフイルムユニットの構造をより簡略にしつつコストを低減することができる。また、メインコンデンサ７０の小型化が期待でき、これによってレンズ付きフイルムユニットをよりスリムにすることができる。
【００３０】
なお、上記の実施形態では、メインコンデンサ７０によってキセノン管８０に３５０ボルトの電圧が印加されることが一因となって４５００°Ｋのストロボ光が外部に照射されたが、メインコンデンサからキセノン管への供給電圧を下げることでストロボ光の色温度を引き下げることができる。例えば、メインコンデンサからの供給電圧を３１０ボルトにすることでストロボ光の色温度をより低い温度とすることが可能となり、バランスのよい写真を取得することができる。
【００３１】
また、上記の実施形態では、ストロボ操作部材の操作に応じて絞りやシャッタ速度の切り替えが可能なレンズ付きフイルムユニットを例示したが、本発明はこれに限らず、ストロボ操作部材の操作に応じて、絞りのみが切り替えられるようにしてもよい。ストロボ操作部材が第３の位置に操作されることに応じて、シャッタ速度はそのままに絞り切り替え板が退避して絞り値が大きくなる。このようにシャッタ速度を切り替えるための機構を省くことでレンズ付きフイルムユニットのコストを低減できるとともに、組み立て工程をより簡便なものとすることができる。
【００３２】
また上記の実施形態では、第１の撮影モード、第２の撮影モード、第３の撮影モードとで切り替え可能なレンズ付きフイルムユニットとしたが、レンズ付きフイルムユニットの撮影モードはストロボ装置をオフして撮影を行う通常撮影モードと、ストロボ装置をオンして撮影を行うストロボ撮影モードとの２つでもよい。ストロボ撮影モードに切り替えた際には、メインコンデンサへの充電が介しされるとともに絞り値が小絞りに切り替わる。このように撮影モードを２つにすることでレンズ付きフイルムユニットの構造を簡略化することができ、バランスのよい写真の取得が可能であるとともにより低コストなレンズ付きフイルムユニットの提供が期待できる。
【００３３】
また、上記の実施形態ではＦ値が４．０であり、メインコンデンサの電気容量を１０μＦとし、ストロボ装置のガイドナンバーを２．０にしたが、本発明はこれに限らない。以下に本発明の第２実施形態について説明する。レンズ付きフイルムユニットには、ＩＳＯ感度が３２００の写真フイルム、Ｆ値が５．６の絞り開口が形成された絞り切り替え板、電気容量が１５μＦのメインコンデンサが備えられ、ストロボ装置のガイドナンバーは２．８に予め規定されている。ストロボスイッチがオンされるとメインコンデンサへの充電が開始され、充電完了後、シンクロスイッチが互いに接触すると色温度が４８００°Ｋのストロボ光が外部に照射される。色温度が４８００°Ｋのストロボ光が投射して撮影することで、ストロボ光が照射される主被写体とその背景との色の差がより小さな写真を取得することができ、より色温度の低いストロボ光を被写体に照射してバランスの取れた写真を得ることが可能となる。
【図面の簡単な説明】
【００３４】
【図１】操作つまみが第１の位置に位置するレンズ付きフイルムユニットの外観斜視図である。
【図２】操作つまみが第２の位置に位置するレンズ付きフイルムユニットの外観斜視図である。
【図３】操作つまみが第３の位置に位置するレンズ付きフイルムユニットの外観斜視図である。
【図４】レンズ付きフイルムユニットを大まかに分解した分解斜視図である。
【図５】シャッタ機構、絞り切り替え機構、シャッタ速度切り替え機構について説明する暗箱周囲の分解斜視図である。
【図６】ストロボ装置の拡大斜視図である。
【図７】ストロボ装置の電気的な構成を概略的に示したブロック図である。
【符号の説明】
【００３５】
２レンズ付きフイルムユニット
３  ユニット本体
５  撮影レンズ
７  ストロボ発光部
１５  ストロボ操作部材
２１  写真フイルム
２３  本体基部
２４  ストロボ装置
２９  プリント基板
３０  シンクロスイッチ
６９  プロテクタ
７０  メインコンデンサ（コンデンサ）
７２  ストロボスイッチ
８０  キセノン管
【図１】
2006071979.tif 000003
【図２】
2006071979.tif 000004
【図３】
2006071979.tif 000005
【図４】
2006071979.tif 000006
【図５】
2006071979.tif 000007
【図６】
2006071979.tif 000008
【図７】
2006071979.tif 000009